(57)【要約】【課題】遊技機とは別の部材を設けることなく、遊技中における遊技者の姿勢に自由度を与えて疲労の蓄積を軽減できるとともに、遊技者の所持品を置ける充分なスペースを確保することができる遊技機を提供すること。【解決手段】この略直方体形状を呈する遊技機２の外郭の少なくとも一部を構成する外郭部材８と、外郭部材の一部を構成し、遊技機の前方又は下方に移動可能とされた可動部材２０と、可動部材に形成され、移動によって外郭より突出し、物又は体の一部を載置可能となる載置部２０ｄとを有している。【選択図】図２
2008200101.tif 000002
【特許請求の範囲】
【請求項１】
略直方体形状を呈する遊技機の外郭の少なくとも一部を構成する外郭部材と、
該外郭部材の一部を構成し、前記遊技機の前方又は下方に移動可能とされた可動部材と、
該可動部材に形成され、前記移動によって前記外郭より突出し、物又は体の一部を載置可能となる載置部と、を有する遊技機。
【請求項２】
前記外郭部材が、遊技機の周囲を囲む筐体枠と、該筐体枠に揺動可能に軸支された枠部材とを有し、
前記可動部材が、前記枠部材に対して揺動可能に軸支され、
前記移動が、前記可動部材の揺動によって実現される請求項１に記載の遊技機。
【請求項３】
前記可動部材が、前記遊技機の高さ方向における中央近傍で軸支されている請求項２に記載の遊技機。
【請求項４】
前記可動部材が、前記遊技機の高さ方向における下端近傍で軸支されている請求項２に記載の遊技機。
【請求項５】
前記可動部材の回転軸方向が水平方向である請求項３又は請求項４に記載の遊技機。
【請求項６】
前記可動部材の回転軸方向が垂直方向である請求項３又は請求項４に記載の遊技機。
【請求項７】
遊技媒体の流下による遊技を実現する遊技領域が表面に形成された遊技盤をさらに有し、
前記枠部材に前記遊技領域を視認可能とするための開口が形成され、
前記可動部材が、前記開口の上方及び左右を囲むようにコ字状に形成され、その下端が軸支されて揺動可能となっている請求項５に記載の遊技機。
【請求項８】
前記外郭部材が、遊技機の周囲を囲む筐体枠を有し、
前記可動部材が、前記筐体枠に対して摺動可能に取り付けられ、
前記移動が、前記可動部材の摺動によって実現される請求項１に記載の遊技機。
【発明の詳細な説明】
【技術分野】
【０００１】
本発明は、物や体の一部を載せることができる載置部が形成された遊技機に係り、特に遊技者の疲労蓄積を軽減することができるとともに、充分な広さの載置スペースを確保することができる遊技機に関する。
【背景技術】
【０００２】
パチンコ機等の遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
パチンコ機の前面下方には、遊技盤面上に球を発射するための発射ハンドルが設けられている。遊技者が、この発射ハンドルを手で保持しつつ回転させると遊技盤面上に向けて球が発射されるようになっている。遊技者は、遊技を楽しんでいる間、遊技盤面上に向けて球を発射するために発射ハンドルを手で保持し続けることとなる。したがって、発射ハンドルを保持する遊技者の腕には疲労が蓄積しやすいという問題があった。
【０００４】
そこで、発射ハンドルを保持する遊技者の腕を支える台を設けて疲労の蓄積を軽減しようとしたものの例として特許文献１及び特許文献２に開示のものがある。
【０００５】
【特許文献１】特開平１０−２１１３１９号公報
【特許文献２】特開２００２−２７３０２３号公報
【発明の開示】
【発明が解決しようとする課題】
【０００６】
遊技者は遊技中、略同じ姿勢でパチンコ機の前に座り続けており、腕以外にも肩や腰にも疲労が蓄積される。しかし、特許文献１、特許文献２に記載のものは、発射ハンドルを保持する遊技者の腕を支えて腕の疲労を軽減することはできるものの、遊技者の姿勢を大きく変化させることはできず、肩や腰にかかる負担を軽減させることができない。したがって、遊技者の疲労蓄積を軽減する効果は非常に限定的である。
【０００７】
また、パチンコホールでは、パチンコ機をあまり間隔を空けずに設置することが多い。このように設置されたパチンコ機の周囲には、遊技者の飲物や財布、携帯電話等の遊技者の所持品を置けるような充分なスペースがなく、遊技者は不便な思いをする場合がある。特許文献１に記載のものは、パチンコ機の一部を引き出して、遊技者の腕を載せることができる台を形成するが、パチンコ機の奥行き寸法以上の長さを有する台とすることは難しい。このような台に遊技者の飲物や所持品を置けるような充分なスペースを確保することは困難である。
【０００８】
また、特許文献２に記載のものは、遊技者の腕を載せる台をパチンコ機とは別の部材として設けており、その部材の保管場所の問題や管理コストの問題が生じる。
【０００９】
本発明は上記の事情に鑑みて為されたもので、遊技機とは別の部材を設けることなく、遊技中における遊技者の姿勢に自由度を与えて疲労の蓄積を軽減できるとともに、遊技者の所持品を置ける充分なスペースを確保することができる遊技機を提供することを例示的課題とする。
【課題を解決するための手段】
【００１０】
上記の課題を解決するために、本発明の例示的側面としての遊技機は、略直方体形状を呈する遊技機の外郭の少なくとも一部を構成する外郭部材と、外郭部材の一部を構成し、遊技機の前方又は下方に移動可能とされた可動部材と、可動部材に形成され、移動によって外郭より突出し、物又は体の一部を載置可能となる載置部とを有する。
【００１１】
外郭部材の一部を構成する可動部材が、物又は体の一部を載置可能となる載置部を有するので、遊技者は自身の所持品や腕、脚等の体の一部を載置部に載置できるので大変便利である。載置部に腕や脚を載置することができるので遊技者の姿勢の自由度が増し、遊技者は様々な姿勢で遊技することが可能となる。したがって、遊技者は肩や腰にかかる負担を分散させ、疲労の蓄積を軽減することができる。また、可動部材が外郭部材の一部を構成しているので、載置部を遊技機とは別途の部材として設ける必要がなく、部材の管理コスト抑制や部材の保管場所削減に寄与することができる。また、可動部材が外郭部材の一部として構成されているので、載置部として使用しない状態ときに、可動部材が遊技者の邪魔になることもなく、遊技機の外観を損なうこともない。
【００１２】
ここで、外郭とは遊技機の外側の面のことで、遊技機の周囲を囲む筐体枠や、筐体枠の前面に揺動可能に軸支された装飾枠等を組み合わせたときに現れる遊技機の外側の面のことである。外郭部材とは、この遊技機の外側の面としての外郭の一部を構成する部材であり、例えば筐体枠や装飾枠等がこれに該当する。
【００１３】
外郭部材が、遊技機の周囲を囲む筐体枠と、筐体枠に揺動可能に軸支された枠部材とを有し、可動部材が、枠部材に対して揺動可能に軸支され、移動が、可動部材の揺動によって実現されるものであってもよい。
【００１４】
移動が可動部材の揺動によって実現されるので、遊技者は可動部材を揺動させるだけで載置部に所持品や腕を載置できるようになるので、大変便利である。また、可動部材が枠部材に対して軸支されているので、遊技者はわざわざ席から立ち上がって離れた場所から他の部材を持ってくることなく載置部を利用できる。
【００１５】
その可動部材が、遊技機の高さ方向における中央近傍で軸支されていてもよい。可動部材が遊技機の高さ方向における中央近傍で軸支されているので、その軸支高さ付近に載置部を設ければ、遊技者が利用しやすい高さの載置部とすることができる。遊技者が腕置きとして利用すれば、遊技中の姿勢を様々に変化させることができるようになる。また、遊技者が載置部に所持品を置いた場合でも、遊技中に目の届きやすい高さに所持品を載置することができるので、盗難等を気にせずに安心して遊技を行うことができる。
【００１６】
可動部材が、遊技機の高さ方向における下端近傍で軸支されていてもよい。可動部材が遊技機の高さ方向における下端近傍で軸支されているので、載置部も、より下方に形成することができる。したがって、遊技機の前面下方に形成された発射ハンドルを保持する腕を載置することができるような載置部を設けることもできる。
【００１７】
可動部材の回転軸方向が水平方向であってもよい。可動部材の回転軸方向が水平方向であるので、枠部材の高さ寸法を超えない範囲で上下に長い可動部材を用いることができる。したがって、その可動部材に比較的広い載置部を形成しやすくなり、遊技者にとって便利で使い勝手のよい載置部とすることができる。
【００１８】
また、可動部材が、遊技機の高さ方向における下端近傍で軸支されていれば、遊技機の高さ寸法を超えない範囲で上下に長い可動部材を用いることができる。したがって、その可動部材には、より一層広いスペースの載置部を設けることができる。
【００１９】
また、可動部材は垂直面内を揺動するので、可動部材が遊技者側に揺動するように構成しても、遊技機の側方に可動部材を設ければ、可動部材を揺動させるときに遊技者が邪魔になることがない。
【００２０】
可動部材の回転軸方向が垂直方向であってもよい。可動部材の回転軸方向が垂直方向であるので、枠部材の左右幅を超えない範囲で左右に長い可動部材を用いることができる。したがって、その可動部材に比較的広い載置部を形成しやすくなり、遊技者にとって便利で使い勝手のよい載置部とすることができる。
【００２１】
また、可動部材は水平面内を揺動するので、揺動途中でも載置部の傾きが変わらない。遊技者は揺動の程度を調整することで、載置部の位置を自由に調整して使用することができる。したがって、遊技者は載置部の位置に合わせて右腕を載置したり、左腕を載置したりすることができ、遊技者の遊技中の姿勢に一層の自由度を与えることができる。さらに、遊技機の上部付近に装飾用の部材を配置する場合にも、可動部材が邪魔にならない。
【００２２】
遊技媒体の流下による遊技を実現する遊技領域が表面に形成された遊技盤をさらに有し、枠部材に遊技領域を視認可能とするための開口が形成され、可動部材が、開口の上方及び左右を囲むようにコ字状に形成され、その下端が軸支されて揺動可能となっていてもよい。
【００２３】
開口の上方及び左右を囲むように形成された可動部材の下端が軸支されているので、その上方に載置部を設ければ、可動部材の左右部分を介した位置、つまり遊技機から離れた位置に載置部を設けることができる。特に可動部材を下方まで移動可能に構成すれば、その載置部に遊技者が脚を載置可能にもでき、遊技者の遊技中の姿勢に一層の自由度を与えることができる。
【００２４】
外郭部材が、遊技機の周囲を囲む筐体枠を有し、可動部材が、筐体枠に対して摺動可能に取り付けられ、移動が、可動部材の摺動によって実現されてもよい。可動部材が筐体枠に対して摺動可能であるので、遊技者は可動部材を摺動させるだけで載置部に所持品や腕を載置できるようになるので、大変便利である。特に可動部材を下方に摺動可能に構成すれば、遊技機の下方に載置部を設けることができる。
【００２５】
本発明の更なる目的又はその他の特徴は、以下添付図面を参照して説明される好ましい実施の形態によって明らかにされるであろう。
【発明の効果】
【００２６】
本発明によれば、遊技機の外郭の一部を構成する外郭部材に、外郭より突出し、物や体の一部を載置可能な載置部を形成することで、遊技機と別途の部材を設けることなく、遊技者の所持品や体の一部を載置できる充分なスペースを確保するとともに、遊技者の遊技中の姿勢に自由度を与えて疲労の蓄積を軽減することのできる遊技機を提供することができる。
【００２７】
また、可動部材が外郭部材の一部として構成されているので、載置部として使用しない状態ときに、可動部材が遊技者の邪魔になることもなく、遊技機の外観を損なうこともない。
【発明を実施するための最良の形態】
【００２８】
［実施の形態１］
以下、本発明の実施の形態１について図面を用いて説明する。図１は、本発明の実施の形態１に係る遊技機としてのパチンコ機２の外観を示す外観斜視図である。パチンコ機２の外郭は、略直方体形状を呈しており、その外郭を構成する外郭部材として、筐体枠４、機枠６、装飾枠８、皿枠１０、遊技盤１２を有している。さらにパチンコ機２は、前面ガラス（前面透明板）１４を有している。
【００２９】
パチンコ機２は、組合せ式パチンコ機、封入循環式パチンコ機等を含む。また、遊技機としてはパチンコ機の他に、スロット機、ゲーム機、アーケードマシン等が概念できる。
【００３０】
筐体枠４は、このパチンコ機２を囲むための枠体であり、外郭部材の一部を構成する。筐体枠４は、平面視略長方形に構成されており、材料としては、木材が用いられることが多いが、他に樹脂やアルミ等の金属が用いられることもある。筐体枠４は、パチンコ機２の上下面及び左右側面を囲い、前面（すなわち、遊技者側。）から見て左側面側には機枠６、装飾枠８及び皿枠１０を揺動支持するためのヒンジ部２２が設けられている。
【００３１】
機枠６は、遊技盤１２を保持するための枠部材であり、外郭部材の一部を構成する。機枠６の中央近傍に遊技盤１２を取り付けるための取付け開口が形成されている。取付け開口の周囲に遊技盤１２を着脱可能に取り付けるための取付け部を有し、機枠６は遊技盤１２の周囲を囲むように構成されている。その機枠６は、筐体枠４の前面側に配置されてヒンジ部２２において筐体枠４に対し揺動可能に軸支され、筐体枠４に対して前面開閉可能とされた枠部材である。
【００３２】
機枠６は、樹脂又は金属によって形成され、その裏側には裏機構盤（図示せず。）が配置される。その裏機構盤には、入賞球を計数して排出処理する入賞球処理装置（図示せず。）、景品としての球を計数して払い出す景品球払出装置（図示せず。）等が配置されている。
【００３３】
機枠６には、球発射装置（図示せず。）も取り付けられている。球発射装置は、球供給装置によって送り出されて球発射位置に停止保持される遊技媒体としての球３６を、後述する遊技盤１２に形成された遊技領域１２ｂの上部に向けて発射（弾球）するためのものである。球発射装置は、例えば球発射位置に送り出された球３６を遊技領域１２ｂに向けて弾球する発射杆、その発射杆を駆動して弾球往復動を行わせる発射モータ、発射杆を付勢して弾球のための力を発生させる発射バネ等を有してユニット構成されている。
【００３４】
装飾枠８は、筐体枠４に対して前面開閉可能かつ揺動可能に軸支された枠部材であって、外郭部材の一部を構成する。本実施の形態１においては、装飾枠８はヒンジ部２２において機枠６とともに揺動支持されている。装飾枠８は、機枠６に取り付けられた遊技盤１２の前面側を覆い、遊技盤面を保護する機能及び遊技盤面に遊技者が不正にアクセス（接触）できないように不正アクセスを防止する機能を発揮している。
【００３５】
装飾枠８には、遊技盤１２に形成された遊技領域１２ｂを視認可能にするための開口１８が形成されている。開口１８には後述する前面ガラス１４が取り付けられ、この前面ガラス１４と協働して遊技盤１２への不正アクセスを防止し、その視認性も確保する機能を発揮する。
【００３６】
開口１８の側方には、可動部材２０が配置されている。可動部材２０は、縦長の平板形状を呈しており、装飾枠８に対して揺動可能に軸支されている。可動部材２０は、下端部２０ａで装飾枠８に軸支されており、その軸支されている位置はパチンコ機２の高さ方向における中央近傍となっている。また、可動部材２０が揺動する際の回転軸２１の方向（回転軸方向）は水平方向となっている。したがって、図２に示すように、可動部材２０の上端部２０ｂに形成された引出部２０ｃに遊技者が指等を掛けて可動部材２０を引き出すと、軸支された下端部２０ａを軸に可動部材２０が揺動し、上端部２０ｂが前方に倒れてくるようになっている。
【００３７】
可動部材２０の裏面２０ｄは、可動部材２０の揺動によって上端部２０ｂが前方に倒れてきた際に、パチンコ機２の外郭より突出し、上向きの比較的広い平面を形成する。したがって、裏面２０ｄは可動部材２０の揺動によって、遊技者の飲物や携帯電話等の所持品（物）又は遊技者の体の一部（例えば、腕。）を載置可能である載置部としての機能を発揮することとなる。
【００３８】
可動部材２０には、支持部材２４が取り付けられている。支持部材２４は可動部材よりもやや小さめの寸法で形成された平板形状を呈する部材であり、可動部材２０に対して、その上端部２４ａで揺動可能に軸支されている。
【００３９】
可動部材２０を引き出した際に、この支持部材２４も引き出すことで、図２に示すように、パチンコ機２の前方下部に形成された設置台（図示せず。）に突き当たって、可動部材２０を下方から支えて可動部材２０の軸支部分が破損するのを防ぐ機能を発揮する。
【００４０】
皿枠１０は、機枠６の前面側下方に配置され、ヒンジ部２２を介して筐体枠４に揺動可能に軸支され、筐体枠４に対して前面開閉可能とされた枠部材である。皿枠１０は、上皿１０ａ、下皿１０ｂ及び発射ハンドル４２を有して構成されている。
【００４１】
上皿１０ａは、球３６を球発射装置に導くべく貯留するためのもので、下皿１０ｂとともに遊技者の持ち球を貯留する機能を有する。上皿１０ａは、景品としてパチンコ機２から払い出された球３６を受け取る機能や、その球３６を、球供給装置を介して球発射装置に導くべく貯留する機能も有している。
【００４２】
上皿１０ａは、パチンコ機２の前面であって遊技盤１２の下方、すなわち装飾枠８の下方部分に配置され、下皿１０ｂは、その上皿１０ａの更に下方に配置されている。遊技者が遊技を終了する場合には、上皿１０ａに貯留された球３６を球排出ボタン１０ｃによって下皿１０ｂへと排出することができるようになっている。
【００４３】
本実施の形態１においては、上皿１０ａと下皿１０ｂとを別々に構成しているが、もちろん上皿１０ａと下皿１０ｂとが一体となって１つの球皿が構成されていてもよい。
【００４４】
発射ハンドル４２は、球発射装置による弾球強度を調整するためのハンドルであって、遊技者が手で操作するためのものである。例えば、パチンコ機２の前面下部右側に配置されて略円筒形状を呈しており、円筒周面に沿ってその強度調整杆４２ａが回転可能となっている。遊技者は、発射ハンドル４２を手で保持しつつ、強度調整杆４２ａを回転させることにより、球３６の発射強度を調整することができるようになっている。
【００４５】
遊技盤１２は、このパチンコ機２において、遊技媒体としての球３６の流下による遊技を実現するためのものであり、その表面の遊技盤面１２ａ上には遊技領域１２ｂが形成されている。遊技盤面１２ａには、略円形状に周囲を囲むようにレール飾り１３が取り付けられ、遊技領域１２ｂは、このレール飾り１３の内側に形成された内側面１３ａによって囲まれている。
【００４６】
その遊技領域１２ｂ内には多数のゲージ２５、普通入賞口２６、始動入賞口２８、大入賞口３０、アウト口３２、その他の各種役物が配置されている。また、遊技領域１２ｂの略中央に画像表示装置３４が配置されている。なお、ゲージ（釘）２５は遊技領域１２ｂを流下する球３６の流下方向を変化させるためのものであるが詳細は省略する。
【００４７】
普通入賞口２６は、遊技領域１２ｂの複数箇所に形成された入賞口であり、球３６が普通入賞口２６に入賞した際に所定個数の球３６が景品として払い出されるようになっている。
【００４８】
始動入賞口２８は、遊技領域１２ｂの中央下方部に形成されている。本実施の形態１においては、始動入賞口２８のさらに下方に大入賞口３０が形成されている。大入賞口３０のすぐ下方には、アウト口３２が形成されている。
【００４９】
始動入賞口２８は、遊技領域１２ｂの中央部下方に形成された入賞口である。球３６が始動入賞口２８に入賞すると、画像表示装置３４に表示されている変動用の図柄が、変動を開始するようになっている。また、始動入賞口２８に球３６が入賞した際にも所定個数の球３６が景品として払い出される。
【００５０】
大入賞口３０は、球３６が入賞しやすい開状態と、球３６が入賞しにくい閉状態とに可変とされている。その開閉制御は、画像表示装置３４の表示態様に基づいて行われ、画像表示装置３４に特定の態様（例えば、「７・７・７」。）が停止表示されると大入賞口３０が開状態とされ球３６が入賞しやすくなるように構成されている。大入賞口３０に球３６が入賞した際にも所定個数の球３６が景品として払い出されるようになっている。
【００５１】
アウト口３２は、遊技領域１２ｂの中央最下端近傍に形成された開口であり、遊技領域１２ｂの最下端まで流下した球３６、すなわちいずれの入賞口２６，２８，３０にも入賞しなかった球３６を流入させるためのものである。アウト口３２に流入した球３６は、パチンコ機２の外部に排出されるようになっている。
【００５２】
画像表示装置３４は、変動用の図柄やその背景図柄を含めた画像を表示するために遊技領域１２ｂの略中央に設けられた装置である。この画像表示装置３４に表示された変動用の図柄が変動して、図柄変動等の遊技演出が行われる。
【００５３】
球発射装置により球３６が遊技領域１２ｂ内の上部に向けて発射されると、球３６がゲージ２５に衝突してその流下方向を変えつつ遊技領域１２ｂ内を流下するようになっている。その流下の途中で、あるものは普通入賞口２６に入賞して球の払出しの契機となり、あるものは始動入賞口２８に入賞して画像表示装置３４による図柄の変動開始の契機となり、また、あるものはいずれの入賞口２６，２８，３０にも入賞せずにアウト口３２からパチンコ機２の外部へと排出される。
【００５４】
前面ガラス１４は、遊技盤１２に対して一定距離離間して配置された前面透明板である。前面ガラス１４は装飾枠８の開口１８に取り付けられる。前面ガラス１４は透明平板ガラスで形成され、遊技盤１２との間に球３６が流下する流下スペースを形成する機能、遊技者が前面ガラス１４を通して遊技盤１２を視認できるように視認性を確保する機能、遊技者が遊技盤１２に不正にアクセス（接触）できないように不正アクセスを防止する機能、を発揮する。
【００５５】
前面透明板としてはガラス素材の前面ガラス１４の他に、もちろん透明アクリル等の樹脂材料が使用されてもよい。また、本実施の形態１においては、前面ガラス１４が装飾枠８に取り付けられるが、前面ガラス１４が遊技盤１２の前面に取り付けられて、遊技盤１２とともに機枠６に保持されるように構成されていてもよい。
【００５６】
なお、本実施の形態１では、装飾枠に可動部材を配置するように構成したが、もちろんこれに限られず、枠部材としての機枠や皿枠に可動部材を配置しても構わない。また、可動部材を１台の遊技機に対して複数配置してもよい。
【００５７】
［実施の形態２］
本発明の実施の形態２に係る遊技機としてのパチンコ機５２について図面を用いて説明する。図３はパチンコ機５２の外観斜視図である。パチンコ機５２の外郭は、略直方体形状を呈しており、その外郭を構成する外郭部材として、筐体枠５４、機枠５６、装飾枠５８、皿枠６０、遊技盤６２を有している。さらにパチンコ機５２は、前面ガラス（前面透明板）６４を有している。ここで、筐体枠５４、機枠５６、皿枠６０、遊技盤６２、前面ガラス６４については、本実施の形態１と略同様の機能・構成であるので詳細な説明は省略する。
【００５８】
装飾枠５８は、筐体枠５４に対して前面開閉可能かつ揺動可能に軸支された枠部材であり、本実施の形態１と同様に、機枠５６に取り付けられた遊技盤６２の前面側を覆い、遊技盤面６２ａを保護する機能及び遊技盤面６２ａに遊技者が不正にアクセス（接触）できないように不正アクセスを防止する機能を発揮している。
【００５９】
装飾枠５８には、遊技盤６２に形成された遊技領域６２ｂを視認可能にするための開口６８が形成されている。開口６８には前面ガラス６４が取り付けられ、この前面ガラス６４と協働して遊技盤６２への不正アクセスを防止し、その視認性も確保する機能を発揮する。
【００６０】
開口６８の下方には、可動部材７０が配置されている。可動部材７０は、横長の平板形状を呈しており、装飾枠５８に対して揺動可能に軸支されている。可動部材７０は、左端部７０ａで装飾枠５８に軸支されており、その軸支されている位置はパチンコ機５２の高さ方向における中央近傍となっている。また、可動部材７０が揺動する際の回転軸７１の方向（回転軸方向）は垂直方向となっている。したがって、図４に示すように、可動部材７０の右端部７０ｂを引っ張って、可動部材７０を引き出すと、軸支された左端部７０ａを軸に可動部材７０が水平揺動し、右端部７０ｂが前方に移動する。
【００６１】
可動部材７０の上面７０ｄは、可動部材７０の揺動によって右端部７０ｂが前方に移動した際に、パチンコ機５２の外郭より突出し、上向きの比較的広い平面を形成する。したがって、上面７０ｄは可動部材７０の揺動によって、遊技者の飲物や携帯電話等の所持品（物）又は遊技者の体の一部（例えば、腕。）を載置可能である載置部としての機能を発揮することとなる。
【００６２】
本実施の形態２では、可動部材７０がパチンコ機２の高さ方向における中央近傍で軸支されているが、パチンコ機２の高さ方向における下端近傍で軸支されるようにしてももちろん構わない。
【００６３】
［実施の形態３］
本発明の実施の形態３に係る遊技機としてのパチンコ機７２について図面を用いて説明する。図５はパチンコ機７２の外観斜視図である。パチンコ機７２の外郭は、略直方体形状を呈しており、その外郭を構成する外郭部材として、筐体枠７４、機枠７６、前面枠７８、遊技盤８２を有している。さらにパチンコ機７２は、前面ガラス（前面透明板）８４を有している。ここで、筐体枠７４、機枠７６、遊技盤８２、前面ガラス８４については、本実施の形態１と略同様の機能・構成であるので詳細な説明は省略する。
【００６４】
前面枠７８は、筐体枠７４に対して前面開閉可能かつ揺動可能に軸支された枠部材であり、機枠７６の前面の略全域を覆い、機枠７６に取り付けられた遊技盤８２の遊技盤面８２ａを保護する機能及び遊技盤面８２ａに遊技者が不正にアクセス（接触）できないように不正アクセスを防止する機能を発揮している。
【００６５】
前面枠７８は、上皿７８ａ、下皿７８ｂ及び発射ハンドル９２を有して構成されている。ここで、上皿７８ａ、下皿７８ｂ及び発射ハンドル９２の機能・構成は本実施の形態１と略同様であるので詳細な説明は省略する。
【００６６】
前面枠７８には、遊技盤８２に形成された遊技領域８２ｂを視認可能にするための開口８８が形成されている。開口８８には前面ガラス８４が取り付けられ、この前面ガラス８４と協働して遊技盤８２への不正アクセスを防止し、その視認性も確保する機能を発揮する。
【００６７】
開口８８の上方及び左右を囲むようにコ字状に形成された可動部材９０が配置されている。可動部材９０は、前面枠７８に対して揺動可能に軸支されている。可動部材９０は、下端部９０ａで前面枠７８に軸支されており、その軸支されている位置はパチンコ機７２の高さ方向における下端近傍となっている。また、可動部材９０が揺動する際の回転軸９１の方向（回転軸方向）は水平方向となっている。したがって、図６に示すように、可動部材９０の上端部９０ｂを引っ張って、可動部材９０を引き出すと、軸支された下端部９０ａを軸に可動部材９０が揺動し、上端部９０ｂが前方に倒れ、その上端部９０ｂがパチンコ機２の下方まで移動する。
【００６８】
可動部材９０の上端部９０ｂ近傍の裏面９０ｄは、可動部材９０の揺動によって上端部９０ｂが下方に移動した際に、パチンコ機７２の外郭より突出し、斜め上方向きの比較的広い平面を形成する。したがって、上面７０ｄは可動部材７０の揺動によって、遊技者が体の一部（例えば、脚。）を載置可能である載置部としての機能を発揮することとなる。
【００６９】
［実施の形態４］
本発明の実施の形態４に係る遊技機としてのパチンコ機１０２について図面を用いて説明する。図７はパチンコ機１０２の外観斜視図である。パチンコ機１０２の外郭は、略直方体形状を呈しており、その外郭を構成する外郭部材として、筐体枠１０４、機枠１０６、装飾枠１０８、皿枠１１０、遊技盤１１２を有している。さらにパチンコ機１０２は、前面ガラス（前面透明板）１１４を有している。ここで、機枠１０６、装飾枠１０８、皿枠１１０、遊技盤１１２、前面ガラス１１４については、本実施の形態１と略同様の機能・構成であるので詳細な説明は省略する。
【００７０】
筐体枠１０４は、このパチンコ機１０２を囲むための枠体であり、外郭部材の一部を構成する。筐体枠１０４は、平面視略長方形に構成されており、材料としては、木材が用いられることが多いが、他に樹脂やアルミ等の金属が用いられることもある。筐体枠１０４は、パチンコ機１０２の上下面及び左右側面を囲い、前面（すなわち、遊技者側。）から見て左側面側には機枠１０６、装飾枠１０８及び皿枠１１０を揺動支持するためのヒンジ部１２２が設けられている。
【００７１】
筐体枠１０４の右側面１０４ａには、可動部材１２０が配置されている。可動部材１２０はパチンコ機の前方に突出する引下げ部１２０ｃを有している。図８に示すように、遊技者が引下げ部１２０ｃを引き下げると、可動部材１２０がパチンコ機１０２の下方（すなわち外郭の下方。）に突出するように摺動する。
【００７２】
可動部材１２０は略Ｌ字形状を呈しており、可動部材１２０の上面１２０ｄは、可動部材１２０が引き下げられた状態で、遊技者の所持品や体の一部を載置できるようになっている。つまり、可動部材１２０の摺動により、上面１２０ｄは載置部としての機能を発揮する。
【００７３】
なお、本実施の形態４ではパチンコ機１０２の右側にのみ可動部材を配置しているが、左側にも可動部材を配置してもよい。この場合、遊技者は左右両方の足を載置部に載置することもできるようなり、遊技者の遊技中の姿勢に一層の自由度を与えることができる。
【００７４】
以上、本発明の好ましい実施の形態を説明したが、本発明はこれらに限定されるものではなく、その要旨の範囲内で様々な変形や変更が可能である。
【図面の簡単な説明】
【００７５】
【図１】本発明の実施の形態１に係るパチンコ機の外観斜視図である。
【図２】図１のパチンコ機の可動部材を手前に倒した状態を示す図である。
【図３】本発明の実施の形態２に係るパチンコ機の外観斜視図である。
【図４】図３のパチンコ機の可動部材を水平揺動させて右端部を前方に移動させた状態を示す図である。
【図５】本発明の実施の形態３に係るパチンコ機の外観斜視図である。
【図６】図５のパチンコ機の可動部材を下方に移動させた状態を示す図である。
【図７】本発明の実施の形態４に係るパチンコ機の外観斜視図である。
【図８】図７のパチンコ機の可動部材を下方に摺動させた状態を示す図である。
【符号の説明】
【００７６】
２：パチンコ機（遊技機）
４：筐体枠（外郭部材）
６：機枠（外郭部材）
８：装飾枠（外郭部材）（枠部材）
１０：皿枠（外郭部材）
１０ａ：上皿
１０ｂ：下皿
１０ｃ：球排出ボタン
１２：遊技盤
１２ａ：遊技盤面
１２ｂ：遊技領域
１３：レール飾り
１３ａ：内側面
１４：前面ガラス（前面透明板）
１８：開口
２０：可動部材
２０ａ：下端部
２０ｂ：上端部
２０ｃ：引出部
２０ｄ：裏面（載置部）
２１：回転軸
２２：ヒンジ部
２４：支持部材
２４ａ：上端部
２５：ゲージ（釘）
２６：普通入賞口
２８：始動入賞口
３０：大入賞口
３２：アウト口
３４：画像表示装置
３６：球（遊技媒体）
４２：発射ハンドル
４２ａ：強度調整杆
５２：パチンコ機
５４：筐体枠（外郭部材）
５６：機枠（外郭部材）
５８：装飾枠（外郭部材）（枠部材）
６０：皿枠（外郭部材）
６２：遊技盤
６２ａ遊技盤面
６２ｂ：遊技領域
６４：前面ガラス（前面透明板）
６８：開口
７０：可動部材
７０ａ：左端部
７０ｂ：右端部
７０ｄ：上面（載置部）
７１：回転軸
７２：パチンコ機（遊技機）
７４：筐体枠（外郭部材）
７６：機枠（外郭部材）
７８：前面枠（外郭部材）（枠部材）
７８ａ：上皿
７８ｂ：下皿
８２：遊技盤
８２ａ：遊技盤面
８２ｂ：遊技領域
８４：前面ガラス（前面透明板）
８８：開口
９０：可動部材
９０ａ：下端部
９０ｂ：上端部
９０ｄ：裏面（載置部）
９１：回転軸
９２：発射ハンドル
１０２：パチンコ機（遊技機）
１０４：筐体枠（外郭部材）
１０４ａ：右側面
１０６：機枠（外郭部材）
１０８：装飾枠（外郭部材）
１１０：皿枠（外郭部材）
１１２：遊技盤
１１４：前面ガラス（前面透明板）
１２０：可動部材
１２０ｃ：引下げ部
１２０ｄ：上面（載置部）
１２２：ヒンジ部
【図１】
2008200101.tif 000003
【図２】
2008200101.tif 000004
【図３】
2008200101.tif 000005
【図４】
2008200101.tif 000006
【図５】
2008200101.tif 000007
【図６】
2008200101.tif 000008
【図７】
2008200101.tif 000009
【図８】
2008200101.tif 000010